(57)【要約】  電子機器１は、タッチセンサ１１と、タッチセンサ１１に対する押圧を検出する押圧検出部１２と、所定の基準を満たす押圧に基づくデータを検出するとバックグラウンドで実行中のアプリケーションソフトウェアの何れかをフォアグラウンドで実行中のものと切り替えるように制御する制御部１５と、を備える。
2012114760.tif 000002
【特許請求の範囲】
【請求項１】
タッチセンサと、
前記タッチセンサに対する押圧を検出する押圧検出部と、
所定の基準を満たす押圧に基づくデータを検出すると、バックグラウンドで実行中のアプリケーションソフトウェアの何れかを、フォアグラウンドで実行中のものと切り替えるように制御する制御部と、
を備える電子機器。
【請求項２】
前記制御部は、所定の基準を満たす押圧に基づくデータを検出するたびに、バックグラウンドで実行中のアプリケーションソフトウェアの何れかを、所定の順序に従って、フォアグラウンドで実行中のものと順次切り替えるように制御する、請求項１に記載の電子機器。
【請求項３】
前記制御部は、所定の段階の基準を満たす押圧に基づくデータを検出すると、バックグラウンドで実行中のアプリケーションソフトウェアのうち前記所定の段階の基準に対応するものを、フォアグラウンドで実行中のものと切り替えるように制御する、請求項１に記載の電子機器。
【請求項４】
タッチセンサと、
前記タッチセンサに対する押圧を検出する押圧検出部と、
所定の基準を満たす押圧に基づくデータを検出すると、バックグラウンドで実行中のアプリケーションソフトウェアの何れかが所定の処理を実行するように制御する制御部と、
を備える電子機器。
【請求項５】
前記制御部は、所定の段階の基準を満たす押圧に基づくデータを検出すると、バックグラウンドで実行中のアプリケーションソフトウェアのうち前記所定の段階の基準に対応するものが所定の処理を実行するように制御する、請求項４に記載の電子機器。
【請求項６】
タッチセンサと、
前記タッチセンサに対する押圧を検出する押圧検出部と、
所定の基準を満たす押圧に基づくデータを検出すると、アクティブでないアプリケーションソフトウェアの何れかをアクティブにするように制御する制御部と、
を備える電子機器。
【請求項７】
前記制御部は、所定の基準を満たす押圧に基づくデータを検出するたびに、アクティブでないアプリケーションソフトウェアの何れかを、所定の順序に従って順次アクティブにするように制御する、請求項６に記載の電子機器。
【請求項８】
前記制御部は、所定の段階の基準を満たす押圧に基づくデータを検出すると、アクティブでないアプリケーションソフトウェアのうち前記所定の段階の基準に対応するものをアクティブにするように制御する、請求項６に記載の電子機器。
【請求項９】
タッチセンサと、
前記タッチセンサに対する押圧を検出する押圧検出部と、
所定の基準を満たす押圧に基づくデータを検出すると、アクティブでないアプリケーションソフトウェアの何れかが所定の処理を実行するように制御する制御部と、
を備える電子機器。
【請求項１０】
前記制御部は、所定の段階の基準を満たす押圧に基づくデータを検出すると、アクティブでないアプリケーションソフトウェアのうち前記所定の段階の基準に対応するものが所定の処理を実行するように制御する、請求項９に記載の電子機器。
【発明の詳細な説明】
【関連出願の相互参照】
【０００１】
本出願は、２０１１年２月２３日に出願された日本国特許出願２０１１−３７１１７号の優先権を主張するものであり、この先の出願の開示全体を、ここに参照のために取り込む。
【技術分野】
【０００２】
本発明は、タッチセンサを備えた電子機器に関するものであり、特に、タッチセンサに対する操作に応じてアプリケーションソフトウェア（以下、適宜「アプリケーション」と略記する）の制御を行う電子機器に関するものである。
【背景技術】
【０００３】
近年、携帯電話等の携帯端末において、操作者による操作を受け付ける操作部やスイッチ等の入力装置として、タッチパネルやタッチスイッチ等のタッチセンサを備える入力装置が採用されているものがある。携帯端末以外に、電卓、券売機等の情報機器や、電子レンジ、テレビ、照明器具等の家電製品、産業用機器（ＦＡ機器）等にも、タッチセンサを備える入力装置は広く使用されている。【０００４】
このようなタッチセンサには、抵抗膜方式、静電容量方式、光学式等の種々の方式が知られている。特に、携帯電話などの小型の電子機器は、例えばテンキーなどのキーやアイコン等をオブジェクトとして表示部に表示して、当該オブジェクトに対する操作者の接触をタッチセンサにより検出する、タッチパネルを備えることが多い。【０００５】
このようなタッチパネルを備えた電子機器は、起動するアプリケーションに応じて、種々のユーザインタフェースを、オブジェクトの表示によって構成することができる。したがって、操作者にとっては操作がわかり易く使い勝手が良いため、タッチパネルを備えた電子機器は急速に普及している。【０００６】
タッチパネルを備えた電子機器に関連する技術については、種々の研究開発が進められている。例えば、押下ミスを防止することによりタッチパネルの誤動作を防止する技術や（特許文献１参照）、タッチパネルの感度を調整する技術や好適な材料について提案されている（特許文献２、特許文献３参照）。また、タッチパネルによるアプリケーションの切り替え時にジョブを退避させる処理についての技術も提案されている（特許文献４参照）。さらに、タッチパネル上でショートカットキーを表示する技術も提案されている（特許文献５参照）。
【先行技術文献】
【特許文献】
【０００７】
【特許文献１】特開２００１−２０２１９２号公報
【特許文献２】特開２００４−４６７９２号公報
【特許文献３】特開２００８−１６５８０１号公報
【特許文献４】特開平５−１８１６０６号公報
【特許文献５】特開２００９−３６２８号公報
【発明の概要】
【発明が解決しようとする課題】
【０００８】
ところで、上述したような電子機器は、通常、様々なアプリケーションを複数インストールすることが可能である。このような電子機器は、複数のアプリケーションをインストールすることで、１つの電子機器を様々な用途に使用することができる。【０００９】
電子機器においてアプリケーションを起動させる場合、従来、一度に１つのアプリケーションしか実行できないもの（シングルタスク）も存在したが、現在は、一度に複数のアプリケーションを同時に実行できるもの（マルチタスク）が多い。シングルタスクの電子機器は、アプリケーションを切り替える際、現在実行しているアプリケーションを一旦終了させて、次に実行するアプリケーションを起動させる。マルチタスクの電子機器は、リソースの許す限り、現在実行しているアプリケーションを終了させることなく、複数のアプリケーションを次々に起動させ、所望のアプリケーションに切り替えて実行することができる。【００１０】
マルチタスクの電子機器の場合、複数のアプリケーションを起動した際は、通常、１つのアプリケーションがフォアグラウンドで実行され、他のアプリケーションはバックグラウンドで実行される。したがって、このような電子機器の場合、複数のアプリケーションの実行中に、操作者が、バックグラウンドで実行中の他のアプリケーションを、フォアグラウンドで実行中のアプリケーションと切り替えたい場合、当該切り替えのための操作をしなければならない。【００１１】
例えば、ある電子機器に、スケジュール管理のアプリケーションおよび電子メール機能のアプリケーションがインストールされていたとする。図１０（Ａ）および（Ｂ）は、これらのアプリケーションを実行している際に、当該電子機器の表示部に表示される画面を概略的に示すものである。図１０（Ａ）は、当該電子機器においてスケジュール管理のアプリケーションをフォアグラウンドで実行している様子を表しており、図１０（Ｂ）は、当該電子機器において電子メール機能のアプリケーションをフォアグラウンドで実行している様子を表している。このように、特に小型の電子機器においては、１つのアプリケーションが一画面を専有するユーザインタフェースを構成するものがほとんどである。【００１２】
ここで、操作者が、例えば図１０（Ａ）に示すように、スケジュール管理のアプリケーションをフォアグラウンドで実行している際に、スケジュールの都合を他人に確認すべく、電子メールの機能を使用したくなる場面が想定される。また、逆に、操作者が、例えば図１０（Ｂ）の電子メールのアプリケーションをフォアグラウンドで実行して、電子メールによりスケジュールの都合を他人に確認した後、スケジュール管理の機能を再び使用したくなる場合も想定される。上述したように、マルチタスクの電子機器であれば、これらスケジュール管理のアプリケーションと電子メール機能のアプリケーションとを同時に実行させておくことができる。すなわち、アプリケーションを切り替える際に、操作者は、すでに実行中のアプリケーションをいちいち終了させる必要はない。【００１３】
しかしながら、これら２つのアプリケーションを切り替える際には、操作者は、例えば図１０（Ｃ）に示すようなインタフェースの電子機器の場合は、例えばメニューキー（ＭＥＮＵ）を押す等により、起動を希望するアプリケーションを選択して、それをフォアグラウンドで実行させる必要がある。図１０（Ｃ）に示す電子機器は、機械式のスイッチにより構成されたテンキーなどのキーやボタンを備える電子機器を想定している。しかしながら、上述したようなタッチパネルを備える電子機器の場合も、操作者は、起動を希望するアプリケーションを選択する操作を行わなければならない。【００１４】
図１０（Ｄ）は、タッチパネルを備える携帯端末において、各アプリケーションを起動するためのアイコンを画面に表示した状態を表している。このような端末の場合、アプリケーションの切り替えを行うには、操作者は、アプリケーションの実行中に何らかの操作を行うことにより図１０（Ｄ）のような選択画面を表示させてから、アイコンを選択することによって、所望のアプリケーションに切り替えなければならない。【００１５】
以上、マルチタスクの電子機器の例を説明したが、シングルタスクの電子機器においても、アプリケーションを切り替えるには、操作者が、そのための操作を行わなければならないという事情は同じである。上述したように、シングルタスクの電子機器は、アプリケーションを同時に実行することができない。そのため、シングルタスクの電子機器においてアプリケーションの切り替えを行うには、操作者は、実行中のアプリケーションを一旦終了させてから、次に所望のアプリケーションを起動させなければならない。この場合、当然、実行中のアプリケーションを終了させるための操作、および、次のアプリケーションを起動させるための操作が必要になる。【００１６】
このように、アプリケーションを切り替える操作は、シングルタスクの電子機器の場合も、マルチタスクの電子機器の場合も、操作者にとっては、一般に複数の手順を要する手間のかかるものである。特に、アプリケーションの切り替えを頻繁に行わなければならない場合は、このような操作は、かなりのストレスになり得る。例えば、図１０（Ａ）および（Ｂ）に示したようなアプリケーション間を交互に切り替える操作を頻繁に行わなければならない状況も想定される。このような場合に、アプリケーションの切り替え操作という同じ操作を何度も繰り返すことは、操作者にとって大変な手間となる。【００１７】
また、最近では、多くの携帯端末が音楽プレーヤなどの音声再生機能を備えている。このような端末がマルチタスクの場合、音楽を再生しながら、例えばＷｅｂブラウザなどの他のアプリケーションを実行させることもできる。しかしながら、音楽を再生しながらＷｅｂブラウザのアプリケーションによってインターネットのサイトを閲覧している最中に、操作者が音楽プレーヤの再生を止めたい場合も想定される。このような場合、操作者は、バックグラウンドで実行中の音楽プレーヤのアプリケーションに一旦切り替えなければならない。このように、従来の電子機器においては、マルチタスクの電子機器において、バックグラウンドで実行中のアプリケーションに対する操作を行いたい場合、操作者は、そのアプリケーションを一旦フォアグラウンドでの実行に切り替えなければならならい。このようにアプリケーションを切り替えることも、上述したように、操作者にとって面倒であり手間のかかることである。【００１８】
したがって、かかる事情に鑑みてなされた本発明の目的は、バックグラウンドで実行中のアプリケーションソフトウェアを制御することができる、タッチセンサを備えた電子機器を提供することにある。
【課題を解決するための手段】
【００１９】
上記目的を達成する第１の観点に係る電子機器の発明は、
タッチセンサと、
前記タッチセンサに対する押圧を検出する押圧検出部と、
所定の基準を満たす押圧に基づくデータを検出すると、バックグラウンドで実行中のアプリケーションソフトウェアの何れかを、フォアグラウンドで実行中のものと切り替えるように制御する制御部と、
を備えるものである。【００２０】
第２の観点に係る発明は、第１の観点に係る電子機器において
前記制御部は、所定の基準を満たす押圧に基づくデータを検出するたびに、バックグラウンドで実行中のアプリケーションソフトウェアの何れかを、所定の順序に従って、フォアグラウンドで実行中のものと順次切り替えるように制御するものである。【００２１】
第３の観点に係る発明は、第１の観点に係る電子機器において
前記制御部は、所定の段階の基準を満たす押圧に基づくデータを検出すると、バックグラウンドで実行中のアプリケーションソフトウェアのうち前記所定の段階の基準に対応するものを、フォアグラウンドで実行中のものと切り替えるように制御するものである。【００２２】
第４の観点に係る電子機器の発明は、
タッチセンサと、
前記タッチセンサに対する押圧を検出する押圧検出部と、
所定の基準を満たす押圧に基づくデータを検出すると、バックグラウンドで実行中のアプリケーションソフトウェアの何れかが所定の処理を実行するように制御する制御部と、
を備えるものである。【００２３】
第５の観点に係る発明は、第４の観点に係る電子機器において
前記制御部は、所定の段階の基準を満たす押圧に基づくデータを検出すると、バックグラウンドで実行中のアプリケーションソフトウェアのうち前記所定の段階の基準に対応するものが所定の処理を実行するように制御するものである。【００２４】
また、上記目的を達成する第６の観点に係る電子機器の発明は、
タッチセンサと、
前記タッチセンサに対する押圧を検出する押圧検出部と、
所定の基準を満たす押圧に基づくデータを検出すると、アクティブでないアプリケーションソフトウェアの何れかをアクティブにするように制御する制御部と、
を備えるものである。【００２５】
第７の観点に係る発明は、第６の観点に係る電子機器において
前記制御部は、所定の基準を満たす押圧に基づくデータを検出するたびに、アクティブでないアプリケーションソフトウェアの何れかを、所定の順序に従って順次アクティブにするように制御するものである。【００２６】
第８の観点に係る発明は、第６の観点に係る電子機器において
前記制御部は、所定の段階の基準を満たす押圧に基づくデータを検出すると、アクティブでないアプリケーションソフトウェアのうち前記所定の段階の基準に対応するものをアクティブにするように制御するものである。【００２７】
第９の観点に係る電子機器の発明は、
タッチセンサと、
前記タッチセンサに対する押圧を検出する押圧検出部と、
所定の基準を満たす押圧に基づくデータを検出すると、アクティブでないアプリケーションソフトウェアの何れかが所定の処理を実行するように制御する制御部と、
を備えるものである。【００２８】
第１０の観点に係る発明は、第９の観点に係る電子機器において
前記制御部は、所定の段階の基準を満たす押圧に基づくデータを検出すると、アクティブでないアプリケーションソフトウェアのうち前記所定の段階の基準に対応するものが所定の処理を実行するように制御するものである。
【発明の効果】
【００２９】
本発明によれば、バックグラウンドで実行中のアプリケーションソフトウェアを制御することができる、タッチセンサを備えた電子機器が提供される。したがって、本発明の電子機器は、電子機器の操作を行う操作者の利便性を格段に向上させることができる。
【図面の簡単な説明】
【００３０】
【図１】本発明の第１実施の形態に係る電子機器の概略構成を示すブロック図である。
【図２】第１実施の形態に係る電子機器の実装構造の一例を示す図である。
【図３】第１実施の形態に係る電子機器による処理を説明するフローチャートである。
【図４】第１実施の形態に係る電子機器によるアプリケーション制御処理の詳細を説明するフローチャートである。
【図５】第１実施の形態に係る電子機器による処理を説明する図である。
【図６】本発明の第２実施の形態に係る電子機器によるアプリケーション制御処理の詳細を説明するフローチャートである。
【図７】第２実施の形態に係る電子機器による処理を説明する図である。
【図８】本発明の第３実施の形態に係る電子機器による処理を説明するフローチャートである。
【図９】本発明の第４実施の形態に係る電子機器によるアプリケーション制御処理の詳細を説明するフローチャートである。
【図１０】従来の電子機器によるアプリケーション制御および電子機器のインタフェースを説明する図である。
【発明を実施するための形態】
【００３１】
以下、本発明の実施の形態について、図面を参照して説明する。
【００３２】
（第１実施の形態）
図１は、本発明の第１実施の形態に係るタッチセンサを備えた電子機器の概略構成を示す機能ブロック図である。本実施の形態に係る電子機器は、例えば携帯電話やＰＤＡ(Personal Digital Assistant)、スマートフォン、タブレット型の電子機器、ゲーム機などの携帯端末、あるいは銀行に設置されるＡＴＭ、駅に設置される券売機に用いる端末装置などとすることができる。すなわち、本実施の形態は、タッチセンサにより操作者のタッチ操作を受け付けるものであれば、任意の電子機器に適用することができる。
【００３３】
図１に示すように、本実施の形態に係る電子機器１は、タッチセンサ１１、押圧検出部１２、触感呈示部１３、表示部１４、制御部１５、および記憶部１６を備える。
【００３４】
タッチセンサ１１は、タッチ面を有するセンサであり、操作者の指などがタッチ面に接触（タッチ）したことを検出する。このタッチセンサ１１は、例えば抵抗膜方式、静電容量方式、光学式等の方式のもので構成する。また、タッチセンサ１１を透過型にして、表示部１４の前面に配置して、表示部１４に表示したキーやボタン等のオブジェクトに対して操作者がタッチしたことを検出するセンサとしても使われる（いわゆるタッチパネル）。
【００３５】
押圧検出部１２は、タッチセンサ１１に対する押圧を検出するもので、例えば、押圧に応じて物理的または電気的な特性（歪み、抵抗、電圧等）が変化する歪みゲージセンサや圧電素子等の素子等を用いて構成する。押圧検出部１２が、例えば、圧電素子等を用いて構成された場合、押圧検出部１２の圧電素子は、タッチセンサ１１に対する押圧に係る荷重（力）の大きさ（または、荷重（力）の大きさが変化する速さ（加速度））に応じて、電気的な特性である電圧の大きさ（電圧値）が変化する。押圧検出部１２は、この電圧の大きさ（電圧値（以下、単にデータと称する））を、制御部１５に通知する。制御部１５は、押圧検出部１２がデータを制御部１５に通知することにより、または、制御部１５が押圧検出部１２の圧電素子に係るデータを検出することにより、当該データを取得（検出）する。つまり、制御部１５は、タッチセンサ１１に対する押圧に基づくデータを取得（検出）する。すなわち、制御部１５は、押圧検出部１２から押圧に基づくデータを取得（検出）する。
【００３６】
触感呈示部１３は、タッチセンサ１１を振動させるものである。触感呈示部１３は、例えば圧電振動子等を用いて構成される。
【００３７】
表示部１４は、押しボタンスイッチ（プッシュ式ボタンスイッチ）のような入力ボタン等のオブジェクトを描画して表示するものである。表示部１４は、例えば、液晶表示パネルや有機ＥＬ表示パネル等を用いて構成される。また、表示部１４は、このようなユーザインタフェースを表示するのみならず、各アプリケーションに応じて、操作者に提示するための種々の情報（すなわちアプリケーションを構成する表示画面）も表示する。
【００３８】
制御部１５は、電子機器１の全体を制御する。特に、本実施の形態において、制御部１５は、インストールされた種々のアプリケーションに応じて、各機能部に対する制御を含め、種々の制御を行う。例えばウェブブラウザのアプリケーションの起動時には、ウェブブラウザとしての機能に係る各種の処理を行う。なお、電子機器の制御部は、アプリケーションに応じて種々の処理を行う。
【００３９】
記憶部１６は、メモリなどで構成することができ、各種アプリケーションおよび入力された各種情報などを記憶するとともに、ワークメモリなどとしても機能する。特に、本実施の形態において、記憶部１６は、電子機器１において実行する各種のアプリケーションを予め記憶（インストール）しておく。
【００４０】
図２は、図１に示した電子機器１の実装構造の一例を示す図である。図２（ａ）は要部断面図であり、図２（ｂ）は要部平面図である。図２（ａ）に示すように、本実施の形態に係る電子機器１において、表示部１４は、筐体２１内に収納保持される。また、表示部１４上には、弾性部材からなるインシュレータ２２を介して、タッチセンサ１１が保持される。なお、本実施の形態に係る電子機器１は、表示部１４およびタッチセンサ１１を、平面視で矩形状としてある。本実施の形態において、タッチセンサ１１は、図２（ｂ）に仮想線で示す表示部１４の表示領域Ａから外れた４隅に配設したインシュレータ２２を介して表示部１４上に保持される。
【００４１】
また、筐体２１には、表示部１４の表示領域から外れたタッチセンサ１１の表面領域を覆うようにアッパカバー２３が設けられ、このアッパカバー２３とタッチセンサ１１との間に、弾性部材からなるインシュレータ２４が配設される。
【００４２】
なお、図２に示すタッチセンサ１１において、タッチ面１１ａを有する表面部材は、例えば透明フィルムやガラスで構成され、裏面部材はガラスやアクリルで構成されるようにする。タッチセンサ１１は、タッチ面１１ａが押圧されると、押圧部分が押圧力に応じて微少量撓む（歪む）、または構造体そのものが微少量撓む構造のものを用いる。
【００４３】
タッチセンサ１１の表面上には、アッパカバー２３で覆われる各辺の近傍に、タッチセンサ１１に加わる押圧（押圧力）を検出するための歪みゲージセンサ３１が、それぞれ接着等により設けられる。また、タッチセンサ１１の裏面上には、対向する２つの辺の近傍に、タッチセンサ１１を振動させるための圧電振動子３２が、それぞれ接着等により設けられる。すなわち、図２に示す電子機器１において、図１に示した押圧検出部１２は、４つの歪みゲージセンサ３１を用いて構成され、触感呈示部１３は、２つの圧電振動子３２を用いて構成されている。そして、触感呈示部１３によりタッチセンサ１１を振動させることにより、タッチ面１１ａを振動させるようにしている。なお、図２（ｂ）は、図２（ａ）に示した筐体２１、アッパカバー２３およびインシュレータ２４の図示を省略している。
【００４４】
次に、本実施の形態による電子機器におけるアプリケーションの制御について説明する。
【００４５】
図３および図４は、第１実施の形態に係る電子機器１に対する操作に応じたアプリケーションの制御を説明するフローチャートである。本実施の形態に係る電子機器１は、タッチセンサ１１に対するタッチ操作により通常の操作を受け付けている際に、タッチセンサ１１に対する所定の基準を満たす押圧に基づくデータを検出したら、バックグラウンドで実行中のアプリケーションの何れかを、フォアグラウンドで実行中のものと切り替える。
【００４６】
図３に示すフローチャートは、タッチセンサ１１においてタッチ操作が検出された位置がアプリケーションを起動等するためのアイコン等（オブジェクト）に対応する位置である場合、電子機器１が、そのアプリケーションを起動する通常の処理を含めて説明してある。なお、図３に示す処理を開始するにあたり、電子機器１は、すでに何らかのアプリケーションをフォアグラウンドで起動しているものとする。ここで起動するアプリケーションは、例えば前述のスケジュール管理のアプリケーションや、電子メール機能のアプリケーションなど、任意のものとすることができる。
【００４７】
また、図３のフローチャートに示す処理を開始するにあたり、タッチセンサ１１のタッチ面に対する操作者のタッチ操作を検出する前に、電子機器１の表示部１４にアプリケーションを起動するアイコン等および操作を行うためのキー等のオブジェクトを表示しておく。本実施の形態におけるオブジェクトは、タッチ操作を受け付ける位置（領域）を操作者に示唆する画像とすることができる。例えば、オブジェクトの画像として、数字や文字がキートップに描画されている状態を表す画像を表示部１４に表示する。また、本実施の形態におけるオブジェクトは、フォアグラウンドで実行中のアプリケーションに対する操作を行うための接触を検出する位置（領域）を操作者に示唆する画像とすることができる。例えば、オブジェクトの画像として、起動するアプリケーションを示すアイコンの画像を表示部１４に表示する。この際、どのようなオブジェクトがどのように表示部１４に表示されるのかは、その時フォアグラウンドで実行されているアプリケーションに依存する。
【００４８】
本実施の形態に係る電子機器１の処理が開始すると、制御部１５は、タッチセンサ１１への接触の有無を監視するとともに、タッチセンサ１１に対する押圧に基づくデータを監視する（ステップＳ１１）。ステップＳ１１において、タッチセンサ１１が、操作者の指やスタイラスペン等の押圧対象（押圧物）による接触（タッチ操作）を検出した場合、ステップＳ１２に移行する。
【００４９】
ステップＳ１２において、制御部１５は、タッチセンサ１１に対する押圧に基づくデータが、操作者によるタッチセンサ１１の押圧によって増加しながら所定の基準を満たしたか否かを判定する。なお、制御部１５は、例えば、押圧検出部１２の４つの歪みゲージセンサ３１の出力の平均値を、押圧に基づくデータとすることができる。ここで、所定の基準を満たす押圧に基づくデータは、操作者が通常の押圧操作を行う際の押圧に基づいて、それよりも若干高い基準などの値を予め設定し、その後も設定変更できるようにするのが好適である。また、操作者が意図せずにタッチセンサ１１に軽く触れてしまったような場合は、押圧に基づくデータが所定の基準を満たしたと判定されないようにするため、この所定の基準は過度に低い値を設定しないようにする。さらに、後述するリアルな触感のための圧覚を操作者に与えるためにも、操作者の意図に基づく押圧の普段の押圧（例えば平均値など）を考慮する等して、前記所定の基準は過度に低い値を設定しないようにする。
【００５０】
ステップＳ１１においてタッチセンサ１１が接触を検出していても、ステップＳ１２において制御部１５が所定の基準を満たす押圧に基づくデータを検出していない場合、処理はステップＳ１３に移行する。ステップＳ１３において、制御部１５は、タッチセンサ１１が検出した接触の位置が表示部１４上に表示されているオブジェクトの位置に対応するか否かを判定する。ステップＳ１３において、タッチセンサ１１が検出した接触の位置がオブジェクトの位置に対応しない場合、操作者はアプリケーションによる所定の制御が行われる位置を接触していないため、制御部１５は、ステップＳ１１に戻って処理を続行する。一方、ステップＳ１３においてタッチセンサ１１が検出した接触の位置がオブジェクトの位置に対応する場合、制御部１５は、タッチセンサ１１が接触を検出しなくなったか否かを判定する（ステップＳ１４）。
【００５１】
ステップＳ１４においてまだ接触が解除されていない場合（すなわち操作者がまだタッチセンサ１１に対してタッチ操作を継続している場合）、制御部１５は、ステップＳ１１に戻って処理を続行する。一方、ステップＳ１４において接触が解除された場合（すなわち操作者が接触させている指などをタッチセンサ１１から離した場合）、制御部１５は、接触を検出していた位置のオブジェクトに対応する処理を行う（ステップＳ１５）。この際の処理は、その時にフォアグラウンドで実行されているアプリケーションによって規定されている。例えば、電子メールのアプリケーションを実行中に、数字や文字などの入力に係る操作を受け付けるオブジェクトの位置で接触解除が検出されたら、当該数字や文字などを表示部１４に表示する処理が行われる。また、例えば、アプリケーションを起動するアイコンのオブジェクトの位置で接触解除が検出されたら、当該アプリケーションを起動する処理が行われる。
【００５２】
このように、本実施の形態に係る電子機器１は、表示部１４に表示されたオブジェクトの位置においてタッチセンサ１１に対する接触解除を検出する（タップを検出する）ことにより、当該オブジェクトに対応する処理を行うことができる。
【００５３】
一方、ステップＳ１１においてタッチセンサ１１が接触を検出している際に、ステップＳ１２において制御部１５が所定の基準を満たす押圧に基づくデータを検出した場合、処理はステップＳ１６に移行する。ステップＳ１６において、制御部１５は、通常のタッチ操作とは異なる、操作者の意図に基づく押圧による操作を検出したことを操作者に報知するため、触感呈示部１３を所定の駆動信号で駆動して、予め設定した所定の振動パターンでタッチセンサ１１を振動させて第１の触感を呈示する。すなわち、制御部１５は、タッチセンサ１１が接触を検出している際に所定の基準を満たす押圧に基づくデータを検出すると、タッチ面を押圧している押圧対象に対して触感を呈示するように触感呈示部１３の駆動を制御する。触感呈示部１３は、例えば、２つの圧電振動子３２を同相で駆動する。
【００５４】
なお、ステップＳ１６において、操作者に対してリアルな触感を呈示するためには、電子機器１は、以下のような処理を行うことにより、操作者の圧覚を刺激した状態で触覚を刺激する。すなわち、電子機器１は、タッチセンサ１１に対する押圧に基づくデータが、触感を呈示する基準を満たすまでは、圧覚を刺激するようにし、押圧に基づくデータが当該基準を満たすと、圧電振動子３２を所定の駆動信号で駆動してタッチ面１１ａを振動させて触覚を刺激する。これにより、電子機器１は、押しボタンスイッチ（プッシュ式ボタンスイッチ）のようなボタンスイッチを押した際に得られるのと同様な触感を、操作者に呈示することができる。したがって、操作者は、タッチセンサ上に描画された押しボタンスイッチであっても、現実の押しボタンスイッチを操作した場合と同様のリアルな触感を得ながら、タッチセンサ１１に対して入力操作を行うことができる。また、タッチセンサ１１を「押した」という意識との連動で操作を行うことができるので、操作ミスも防止することができる。
【００５５】
上述した触感を呈示する際の駆動信号、すなわち触覚を刺激する一定周波数、周期（波長）、波形、振幅は、呈示する触感に応じて適宜設定することができる。例えば、携帯端末に使用されているメタルドームスイッチに代表されるボタンを押下する触感を呈示する場合、例えば、１７０Ｈｚの一定周波数のＳｉｎ波からなる１周期分の駆動信号により触感呈示部１３を駆動する。このような駆動信号により触感呈示部１３を駆動させて、タッチ面１１ａを、基準の押圧Ｐｔｈが加わった状態で、約１５μｍ振動させる。これにより、実際のキーを押下した場合のような、リアルな触感を操作者に呈示することができる。
【００５６】
ステップＳ１６において触感が呈示されたら、制御部１５は、ステップＳ１７のアプリケーション制御処理を行う。図４は、図３におけるステップＳ１７のアプリケーション制御処理の詳細を説明するフローチャートである。図４に示す本実施の形態によるアプリケーション制御処理においては、制御部１５は、まず、フォアグラウンドで実行中のアプリケーションの他に、バックグラウンドで実行中のアプリケーションがあるか否かを判定する（ステップＳ２１）。
【００５７】
ステップＳ２１においてバッググラウンド実行中のアプリケーションが存在しない場合、フォアグラウンドの実行に切り替えるべきアプリケーションがない。この場合、制御部１５は、「バッググラウンド実行中のアプリケーションが存在しない」旨の表示を表示部１４に表示する等して、操作者にその旨を知らせる（ステップＳ２２）。また、この際に、制御部１５は、触感呈示部１３を駆動して、上述したボタンを押下した触感とは異なる触感を呈示するなどして、バッググラウンド実行中のアプリケーションが存在しない旨を操作者に知らせるようにしてもよい。このように、ステップＳ２２において、バッググラウンド実行中のアプリケーションが存在しない旨を操作者に通知した後、制御部１５は、ステップＳ１７のアプリケーション制御処理を終了する。
【００５８】
一方、ステップＳ２１においてバッググラウンド実行中のアプリケーションが存在する場合、制御部１５は、現在フォアグラウンドで実行中のアプリケーションをバックグラウンドの実行に移行させる（ステップＳ２３）。次に、制御部１５は、バックグラウンドで実行中のアプリケーションを、フォアグラウンドの実行に切り替えてから（ステップＳ２４）、ステップＳ１７のアプリケーション制御処理を終了する。
【００５９】
なお、ステップＳ２４において、制御部１５は、バックグラウンドで実行中のアプリケーションの何れかを、フォアグラウンドで実行中のものと切り替えるように制御する。ここで、バックグラウンドで実行中のアプリケーションが１つしか存在しない場合、フォアグラウンドで実行中のものと切り替えるアプリケーションは自ずと特定される。しかしながら、バッググラウンドで実行中のアプリケーションが複数ある場合、制御部１５は、それらの何れをフォアグラウンドで実行中のものと切り替えるのか、特定しなければならない。このように、バッググラウンドで実行中の複数のアプリケーションのうち、フォアグラウンドで実行させるものを特定する方法には、種々の方法が想定できる。
【００６０】
例えば、特定のアプリケーションがフォアグラウンドで実行中に、当該アプリケーションと連携する（または同時に使用する）可能性の高いアプリケーションを予め１つ規定しておき、ステップＳ１７の処理の際には、その規定されたアプリケーションをフォアグラウンドで実行させることができる。また、複数のアプリケーションにおいて、バックグラウンドで実行中にフォアグラウンドに移行するにあたっての順番を、所定の順序として予め規定しておくこともできる。この場合、ステップＳ１７の処理が発生するたびに、制御部１５は、この順序に従って、フォアグラウンドで実行中のものと順次切り替えるように制御する。
【００６１】
その他、ステップＳ１２において、制御部１５が所定の基準を満たす押圧に基づくデータを検出する際に、当該押圧に基づくデータを段階別に検出することもできる。すなわち、例えば、所定の基準を満たす押圧に基づくデータについて、第１段階の基準、第２段階の基準、第３段階の基準など、徐々に高く設定される所定の段階の基準を予め規定しておく。なお、この場合、押圧に基づくデータを段階別に検出する際には、押圧に基づくデータが所定の基準を満たしてから所定の短期間（例えば１秒など）経過後に、当該押圧に基づくデータの段階を確定するような措置を講じることもできる。また、これらの所定の段階の基準のそれぞれに、対応するアプリケーションも予め規定しておく。例えば、第１段階の押圧に基づくデータの基準にはスケジュール管理アプリケーションを、第２段階の基準には電子メール機能アプリケーションを、第３段階の基準には音楽プレーヤのアプリケーションを、などのように対応させることができる。このように設定した場合、制御部１５は、ステップＳ１２にて所定の段階の基準を満たす押圧に基づくデータを検出すると、ステップＳ１７にて、バックグラウンドで実行中のアプリケーションのうち所定の段階の基準に対応するものを、フォアグラウンドで実行中のものと切り替えるように制御するようにできる。
【００６２】
ステップＳ１７においてアプリケーションの制御処理を行った後、制御部１５は、タッチセンサ１１に対する押圧に基づくデータが所定の基準を下回ったか否かを判定する（ステップＳ１８）。すなわち、ステップＳ１８では、操作者がタッチセンサ１１に対する押圧の力を弱めたか否かを判定する。
【００６３】
ステップＳ１８において、タッチセンサ１１に対する押圧に基づくデータが所定の基準を下回った場合、制御部１５は、触感呈示部１３を所定の駆動信号で駆動して、予め設定した所定の振動パターンでタッチセンサ１１を振動させて第２の触感を呈示する（ステップＳ１９）。ここで呈示する触感は、アプリケーション制御処理が適切に実行されたことを操作者に知らせるためのものである。この第２の触感は、ステップＳ１６において呈示される第１の触感と同じものとすることもできる。あるいは、第１の触感を上述したボタンを押下する触感とした場合には、第２の触感は、第１の触感とは異ならせて、ボタンから指などを離す際の触感としてもよい。
【００６４】
例えば、第１の触感を呈示する際の駆動信号（ボタンを押下した触感用）の周波数は１７０Ｈｚとし、また第２の触感を呈示する際の駆動信号の周波数は１２５Ｈｚとすることができる。これにより、第２の触感として、実際のキーから指を離した場合のような、ボタンを押下した触感とは異なるリアルな触感を操作者に呈示することができる。このように、ボタンを押下する触感を呈示した後、押圧が解除される際にも、押圧時と同様に、触感呈示部１３を所定の駆動信号で駆動して、タッチセンサ１１を予め設定した所定の振動パターンで振動させることにより、ボタンを押下した後に当該押下が解除される際の触感を呈示することができる。したがって、ボタンを押圧する際の触感と相俟って、より押しボタンスイッチに近い、ボタンから指などを離す際のリアルな触感を操作者に呈示することができる。
【００６５】
図５は、第１実施の形態に係る電子機器１による処理を説明する図である。図５（Ａ）に示すように、電子機器１がフォアグラウンドでスケジュール管理のアプリケーションを実行中である場合の例について説明する。また、この際、電子機器１は、電子メール機能のアプリケーションをバックグラウンドで実行中であるものとする。図５（Ａ）に示すように、電子機器１は、スケジュール管理のアプリケーションをフォアグラウンドで実行中であるため、操作者のタッチ操作を受け付けることにより、スケジュール管理のアプリケーションにおいて当該操作に対応する処理を行う。すなわち、図５（Ａ）に示す状態において、操作者は、電子機器１の（表示部１４にオブジェクトが表示されている状態の）タッチセンサ１１に対してタッチ操作を行うことにより、スケジュール管理アプリケーションに所定の処理を実行させることができる。例えば、操作者は、日付の箇所に接触することにより、当該日付の予定の詳細を表示させたり、または当該日付におけるイベントなどの予定を入力することができる。
【００６６】
このような状態で、図５（Ａ）に示すように、タッチセンサ１１のタッチ面が押圧されて、制御部１５が所定の基準を満たす押圧に基づくデータを検出すると、電子機器１は、図５（Ｂ）に示すように、バックグラウンドで実行していた電子メールのアプリケーションをフォアグラウンドで実行させる。すなわち、操作者は、図５（Ａ）に示すようにスケジュール管理アプリケーションをフォアグラウンドで実行中に、バックグラウンドで実行中の電子メールのアプリケーションに対する操作をしたくなった場合、タッチセンサ１１の任意の位置を、所定の基準を満たす押圧に基づくデータが検出されるように操作するだけでよい。
【００６７】
このような押圧操作により、図５（Ｂ）に示すように電子メールのアプリケーションがフォアグラウンドの実行に切り替えられるため、操作者は、バックグラウンドで実行中のアプリケーションに対する操作を即座に行うことができる。このようにして電子メールのアプリケーションがフォアグラウンドの実行に切り替えられた後は、電子機器１は、操作者のタッチ操作を受け付けることにより、電子メールのアプリケーションにおいて当該操作に対応する処理を行う。例えば、操作者が文字を入力する操作を受け付けることにより、電子機器１は、その文字などを表示することができる。また、図５（Ｂ）に示す状態でタッチセンサ１１のタッチ面が再び押圧されて、制御部１５が所定の基準を満たす押圧に基づくデータを検出すると、電子機器１は、図５（Ａ）に示すように、バックグラウンドで実行中のスケジュール管理のアプリケーションをフォアグラウンドの実行に戻す。
【００６８】
図５においては、スケジュール管理のアプリケーションと連携するものとして、電子メールのアプリケーションが予め規定されていることを想定して説明した。しかしながら、上述したように、インストール済みの複数のアプリケーションにおいて、バックグラウンドで実行中にフォアグラウンドに移行するにあたっての順番を所定の順序として予め規定しておくこともできる。この場合、タッチセンサ１１のタッチ面が押圧されて、制御部１５が所定の基準を満たす押圧に基づくデータを検出するごとに、電子機器１は、所定の順序に従って、フォアグラウンドで実行中のものと順次切り替える。これにより、操作者は、バッグラウンドで実行中のアプリケーションを、次々に素早くフォアグラウンドの実行に切り替えることができる。
【００６９】
さらに、上述したように、制御部１５が所定の基準を満たす押圧に基づくデータを検出する際に、当該押圧に基づくデータを第１段階、第２段階、など段階別に検出して、所定の段階の基準のそれぞれに、対応するアプリケーションを予め規定しておくこともできる。この場合、電子機器１は、タッチセンサ１１のタッチ面が押圧されて、所定の段階の基準を満たす押圧に基づくデータを検出すると、バックグラウンドで実行中のアプリケーションのうち所定の段階の基準に対応するものを、フォアグラウンドで実行中のものと切り替える。
【００７０】
例えば、第１段階の押圧に基づくデータの基準にスケジュール管理アプリケーションが対応している場合、例えば携帯電話の通話アプリケーションをフォアグラウンドで実行中に第１段階の基準を満たす押圧に基づくデータを検出すると、電子機器１は、スケジュール管理アプリケーションをフォアグラウンドの実行に切り替える。また、第２段階の押圧に基づくデータの基準に電子メール機能アプリケーションが対応している場合、携帯電話の通話アプリケーションをフォアグラウンドで実行中に第２段階の基準を満たす押圧に基づくデータを検出すると、電子機器１は、電子メール機能アプリケーションをフォアグラウンドの実行に切り替える。
【００７１】
（第２実施の形態）
次に、本発明の第２実施の形態について説明する。第２実施の形態は、上述した第１実施の形態において、図３のステップＳ１７におけるアプリケーション制御処理を変更するものである。したがって、第２実施の形態に係る電子機器は、第１実施の形態にて説明した電子機器１と同じ構成により実施することができるため、第１実施の形態と同じ内容になる説明は、適宜省略する。
【００７２】
上述した第１実施の形態による電子機器１は、所定の基準を満たす押圧に基づくデータを検出すると、バックグラウンドで実行中のアプリケーションの何れかを、フォアグラウンドで実行中のものと切り替えた。これに対し、第２実施の形態による電子機器１は、所定の基準を満たす押圧に基づくデータを検出すると、フォアグラウンドで実行中のアプリケーションはそのままの状態で、バックグラウンドで実行中のアプリケーションの何れかに所定の処理を実行させる。
【００７３】
図６は、本実施の形態において、図３におけるステップＳ１７のアプリケーション制御処理の詳細を説明するフローチャートである。図６に示す本実施の形態によるアプリケーション制御処理においては、制御部１５は、まず、フォアグラウンドで実行中のアプリケーションの他に、バックグラウンドで実行中のアプリケーションがあるか否かを判定する（ステップＳ３１）。
【００７４】
ステップＳ３１においてバッググラウンド実行中のアプリケーションが存在しない場合、バックグラウンドで実行中の制御すべきアプリケーションがない。この場合、制御部１５は、「バッググラウンド実行中のアプリケーションが存在しない」旨の表示を表示部１４に表示する等して、操作者にその旨を知らせる（ステップＳ３２）。また、この際に、制御部１５は、触感呈示部１３を駆動して、ボタンを押下した触感とは異なる触感を呈示するなどして、バッググラウンド実行中のアプリケーションが存在しない旨を操作者に知らせるようにしてもよい。このように、ステップＳ３２において、バッググラウンド実行中のアプリケーションが存在しない旨を操作者に通知した後、制御部１５は、ステップＳ１７のアプリケーション制御処理を終了する。
【００７５】
一方、ステップＳ３１においてバッググラウンド実行中のアプリケーションが存在する場合、制御部１５は、現在フォアグラウンドで実行中のアプリケーションはそのままにして、バックグラウンドで実行中のアプリケーションが所定の処理を実行するように制御する（ステップＳ３３）。その後、制御部１５は、ステップＳ１７のアプリケーション制御処理を終了する。
【００７６】
なお、ステップＳ３３において、制御部１５は、バックグラウンドで実行中のアプリケーションの何れかが所定の処理を実行するように制御する。ここで、バックグラウンドで実行中のアプリケーションが１つしか存在しない場合、所定の処理を実行させるべく制御するアプリケーションは自ずと特定される。
【００７７】
ここで、所定の基準を満たす押圧に基づくデータを検出した際に、バックグラウンドで実行中のアプリケーションに実行させるべき所定の処理は、予め規定しておく。一例として、バックグラウンドで実行中のアプリケーションがアラームである場合に、上述した所定の処理は、当該アラームを停止させる処理とすることができる。また、他の例として、バックグラウンドで実行中のアプリケーションが音楽プレーヤである場合に、上述した所定の処理は、当該音楽プレーヤで再生中の音楽を停止させたり、再生が停止している場合には再生を開始する処理としたり、または再生中の曲の次の曲を選曲する処理などとすることができる。さらに、所定の基準を満たす押圧に基づくデータを検出した際に、当該押圧に基づくデータが検出された態様に応じて、異なる所定の処理を規定しておくことも考えられる。
【００７８】
例えばバックグラウンドで実行中のアプリケーションが音楽プレーヤである場合、所定の基準を満たす押圧に基づくデータが短時間検出された（すなわち短押し）際の所定の処理は、再生中の曲の次の曲を選曲する処理とすることができる。さらに、所定の基準を満たす押圧に基づくデータが比較的長い時間検出された（すなわち長押し）際の所定の処理は、当該音楽プレーヤで再生中の音楽を停止させる処理とすることもできる。また、このように異なる所定の処理を規定する場合、所定の基準を満たす押圧に基づくデータが検出される時間の長短ではなく、素早い２度の検出（ダブルタップ）や、素早い３度の検出（トリプルタップ）等のように、所定の短期間内に検出される押圧に基づくデータの回数に応じて異なる所定の処理を規定してもよい。
【００７９】
また、バッググラウンドで実行中のアプリケーションが複数ある場合、制御部１５は、それらの何れのアプリケーションに所定の処理を実行させるのかを特定しなければならない。このように、バッググラウンドで実行中の複数のアプリケーションのうち、所定の処理を実行させるものを特定する方法にも、上述した第１実施の形態と同様に、種々の方法が想定できる。
【００８０】
例えば、特定のアプリケーションがフォアグラウンドで実行中に、当該アプリケーションと連携する（または同時に使用する）可能性の高いアプリケーションを予め１つ規定しておくようにできる。この場合、ステップＳ１７の処理の際には、制御部１５は、その規定されたアプリケーションがバックグラウンドで実行中のまま、所定の処理を実行するように制御する。また、複数のアプリケーションにおいて、バックグラウンドで実行中のまま所定の処理を行う順番を、所定の順序として予め規定しておくこともできる。この場合、ステップＳ１７の処理が発生するたびに、制御部１５は、この順序に従って、フォアグラウンドで実行中のアプリケーションはそのままで、バックグラウンドで実行中のアプリケーションが所定の処理を行うように制御する。
【００８１】
その他、第１実施の形態と同様に、ステップＳ１２において、制御部１５が所定の基準を満たす押圧に基づくデータを検出する際に、当該押圧に基づくデータを段階別に検出することもできる。すなわち、例えば、所定の基準を満たす押圧に基づくデータについて、徐々に高く設定される所定の段階の基準を予め複数規定し、さらに、これらの所定の段階の基準のそれぞれに、対応するアプリケーションも予め規定しておくことができる。例えば、第１段階の押圧に基づくデータの基準にはスケジュール管理アプリケーションを、第２段階の基準には電子メール機能アプリケーションを、第３段階の基準には音楽プレーヤのアプリケーションを、などのように対応させることができる。このように設定した場合、制御部１５は、ステップＳ１２にて所定の段階の基準を満たす押圧に基づくデータを検出すると、ステップＳ１７にて、バックグラウンドで実行中のアプリケーションのうち所定の段階の基準に対応するものが所定の処理を実行するように制御する。
【００８２】
図７は、第２実施の形態に係る電子機器１による処理を説明する図である。図７（Ａ）に示すように、電子機器１がウェブブラウザのアプリケーションをフォアグラウンドで実行中である場合の例について説明する。図７（Ａ）は、操作者が、電子機器１によってウェブブラウザのアプリケーションを実行し、インターネットのニュース記事配信サイトを閲覧している様子を表している。また、この際、電子機器１は、音楽プレーヤのアプリケーションをバックグラウンドで実行中であるものとする。図７（Ａ）に示す例では、電子機器１は、バックグラウンドで音楽プレーヤのアプリケーションを実行中であり、イヤホン５０からは曲Ａの音楽が出力されているものとする。
【００８３】
図７（Ａ）に示すように、電子機器１は、ウェブブラウザのアプリケーションをフォアグラウンドで実行中であるため、操作者のタッチ操作を受け付けることにより、ウェブブラウザのアプリケーションにおいて当該操作に対応する処理を行う。すなわち、図７（Ａ）に示す状態において、操作者は、電子機器１の（表示部１４にオブジェクトが表示されている状態の）タッチセンサ１１に対してタッチ操作を行うことにより、ウェブブラウザのアプリケーションに所定の処理を実行させることができる。例えば、操作者は、ニュース記事の項目（ヘッドライン）を表示しているオブジェクトに接触することにより、当該ニュース記事の詳細を閲覧することができる。
【００８４】
このような状態で、図７（Ａ）に示すように、タッチセンサ１１のタッチ面が押圧されて、制御部１５が所定の基準を満たす押圧に基づくデータを検出すると、電子機器１は、図７（Ｂ）に示すように、バックグラウンドで実行していた音楽プレーヤのアプリケーションに所定の処理を実行させる。この例では、所定の処理として、再生中の曲の次の曲を選曲する処理を規定した場合について説明する。したがって、バックグラウンドで実行中の音楽プレーヤのアプリケーションが所定の処理を行うことにより、図７（Ｂ）に示すように、イヤホン５０からは曲Ａの次の曲である曲Ｂの音楽が出力される。すなわち、操作者は、図７（Ａ）に示すようにウェブブラウザのアプリケーションをフォアグラウンドで実行中に、バックグラウンドで実行中の音楽プレーヤのアプリケーションに対する操作をしたくなった場合、タッチセンサ１１の任意の位置を、所定の基準を満たす押圧に基づくデータが検出されるように操作するだけでよい。
【００８５】
このような押圧操作により、図７（Ｂ）に示すように音楽プレーヤのアプリケーションに対する操作を行うことができるため、操作者は、バックグラウンドで実行中のアプリケーションに対する操作を即座に行うことができる。図５においては、音楽プレーヤのアプリケーションがバックグラウンドで実行中のまま、次の曲を選曲する処理を実行させる例について説明したが、規定された所定の処理に応じて種々の処理を実行させることが考えられる。例えば音楽プレーヤの場合、次の曲を選曲する処理ではなく、再生中の音楽を停止させたり、またはもともと停止している場合は再生させたりという処理を実行させることも想定できる。このような所定の処理は、バックグラウンドで実行中のアプリケーションに応じて、種々のものを想定できる。
【００８６】
（第３実施の形態）
次に、本発明の第３実施の形態について説明する。第３実施の形態は、上述した第１実施の形態と同様の技術的思想に基づいて、さらにタッチセンサ１１に対する操作ミスを防止するための措置を施したものである。第３実施の形態に係る電子機器も、第１実施の形態にて説明した電子機器１と同じ構成により実施することができるため、第１実施の形態と同じ内容になる説明は、適宜省略する。
【００８７】
第１および第２実施の形態においては、バックグラウンドで実行中のアプリケーションを制御する以外の、フォアグラウンドで実行中のアプリケーションに対する制御は、タッチセンサ１１による接触の検出をトリガとして処理を行った。しかしながら、この場合、タッチセンサ１１に操作者の指などが軽く触れただけで、フォアグラウンドで実行中のアプリケーションに対する操作が受け付けられてしまい、操作ミスの原因になることが想定される。したがって、本実施の形態においては、フォアグラウンドで実行中のアプリケーションに対しては、第１の基準を満たす押圧に基づくデータの検出により処理を実行させ、第１の基準よりも高い第２の基準を満たす押圧に基づくデータの検出によりバックグラウンドで実行中のアプリケーションに対する制御を行う。
【００８８】
図８は、第３実施の形態に係る電子機器１に対する操作に応じたアプリケーションの制御を説明するフローチャートである。本実施の形態に係る電子機器１は、タッチセンサ１１に対する第１の基準を満たす押圧に基づくデータによる通常の操作を受け付けている際に、第２の基準を満たす押圧に基づくデータを検出したら、バックグラウンドで実行中のアプリケーションの何れかを、フォアグラウンドで実行中のものと切り替える。したがって、本実施の形態に係る電子機器１は、タッチセンサ１１に対する接触が受け付けられた段階では、バックグラウンドおよびフォアグラウンドともに、実行中のアプリケーションに対する特定の処理は実行されないことに留意すべきである。
【００８９】
図８に示すフローチャートは、タッチセンサ１１において第１の基準を満たす押圧に基づくデータによる操作が検出された位置がアプリケーションを起動するためのアイコン等（オブジェクト）に対応する位置である場合、電子機器１が、そのアプリケーションを起動する等の通常の処理を含めて説明してある。なお、図８に示す処理を開始するにあたり、電子機器１は、すでに何らかのアプリケーションをフォアグラウンドで起動しているものとする。ここで起動するアプリケーションは、例えばスケジュール管理のアプリケーションや、電子メール機能のアプリケーションなど、任意のものとすることができる。
【００９０】
また、図８のフローチャートに示す処理を開始するにあたり、タッチセンサ１１のタッチ面に対する第１の基準を満たす押圧に基づくデータによる操作者の押圧操作を検出する前に、電子機器１の表示部１４にアプリケーションを起動するアイコン等および操作を行うためのキー等のオブジェクトを表示しておく。本実施の形態におけるオブジェクトは、押圧操作を受け付ける位置（領域）を操作者に示唆する画像とすることができる。例えば、オブジェクトの画像として、数字や文字がキートップに描画されている状態を表す画像を表示部１４に表示する。また、本実施の形態におけるオブジェクトは、フォアグラウンドで実行中のアプリケーションに対する操作を行うための接触を検出する位置（領域）を操作者に示唆する画像とすることができる。例えば、オブジェクトの画像として、起動するアプリケーションを示すアイコンの画像を表示部１４に表示する。この際、どのようなオブジェクトがどのように表示部１４に表示されるのかは、その時にフォアグラウンドで実行されているアプリケーションに依存する。
【００９１】
本実施の形態に係る電子機器１の処理が開始すると、制御部１５は、タッチセンサ１１への接触の有無を監視するとともに、タッチセンサ１１に対する押圧に基づくデータを監視する（ステップＳ５１）。ステップＳ５１において、タッチセンサ１１が、操作者の指やスタイラスペン等の押圧対象（押圧物）による接触（タッチ操作）を検出した場合、ステップＳ５２に移行する。
【００９２】
ステップＳ５２において、制御部１５は、タッチセンサ１１に対する押圧に基づくデータが、操作者によるタッチセンサ１１の押圧によって増加して第１の基準を満たしたか否かを判定する。ここで、第１の基準を満たす押圧に基づくデータは、操作者が通常の押圧操作を行う際の押圧に基づいて予め設定し、その後も設定変更できるようにするのが好適である。また、操作者が意図せずにタッチセンサに軽く触れてしまったような場合は、押圧に基づくデータが第１の基準を満たしたと判定されないようにするため、この第１の基準は過度に低い値を設定しないようにする。さらに、リアルな触感のための圧覚を操作者に与えるためにも、操作者の意図に基づく押圧の普段の荷重（例えば平均値など）を考慮する等して、前記第１の基準は過度に低い値を設定しないようにする。
【００９３】
ステップＳ５１においてタッチセンサ１１が接触を検出していても、ステップＳ５２において制御部１５が第１の基準を満たす押圧に基づくデータを検出していない場合、処理はステップＳ５１に戻る。ステップＳ５２において制御部１５が第１の基準を満たす押圧に基づくデータを検出した場合、制御部１５は、タッチセンサ１１が検出している接触の位置が、表示部１４上に表示されているオブジェクトの位置に対応するか否かを判定する（ステップＳ５３）。
【００９４】
ステップＳ５３において、タッチセンサ１１が検出した接触の位置がオブジェクトの位置に対応していない場合、操作者はアプリケーションによる所定の制御が行われる位置を接触していない。この場合、制御部１５は、タッチセンサ１１に対する押圧に基づくデータが、操作者によるタッチセンサ１１の押圧によってさらに増加して第２の基準を満たしたか否かを判定する（ステップＳ５４）。ここで、第２の基準を満たす押圧に基づくデータは、操作者が通常の押圧操作を行う際の押圧に基づいて、それよりも若干高い基準を予め設定し、その後も設定変更できるようにするのが好適である。ステップＳ５４においてタッチセンサ１１に対する押圧に基づくデータが第２の基準を満たしていないと判定される場合、制御部１５は、ステップＳ５２に戻って処理を続行する。
【００９５】
一方、ステップＳ５３において、タッチセンサ１１が検出した接触の位置がオブジェクトの位置に対応している場合、制御部１５は、操作者の意図に基づいて第１の基準を満たす押圧に基づくデータによる操作を検出したことを操作者に報知する。このため、制御部１５は、触感呈示部１３を所定の駆動信号で駆動して、予め設定した所定の振動パターンでタッチセンサ１１を振動させて第１の触感を呈示する（ステップＳ５５）。なお、ステップＳ５５において呈示する第１の触感は、例えば、第１実施の形態で説明したボタンを押下した触感とすることができる。
【００９６】
ステップＳ５５において触感が呈示されたら、制御部１５は、タッチセンサ１１に対する押圧に基づくデータが、操作者によるタッチセンサ１１の押圧によってさらに増加して第２の基準を満たしたか否かを判定する（ステップＳ５６）。ステップＳ５６においてタッチセンサ１１に対する押圧に基づくデータが第２の基準を満たしたと判定される場合、制御部１５は、第２の基準を満たす押圧に基づくデータによる操作を検出したことを操作者に報知するため、触感呈示部１３を所定の駆動信号で駆動して触感を呈示する（ステップＳ５７）。なお、ステップＳ５７において呈示する触感は、ステップＳ５５と同様の例えばボタンを押下した触感としてもよいが、第１の基準を満たす押圧に基づくデータによる操作とは異なる操作を受け付けたことを操作者に報知すべく、ボタンを押下した触感やボタンから指などを離す際の触感とは別の触感とするのが好適である。
【００９７】
ステップＳ５７において触感が呈示されたら、制御部１５は、ステップＳ５８のアプリケーション制御処理を行う。ステップＳ５８にて行うアプリケーション制御処理は、図３にて説明したステップＳ１７のアプリケーション制御処理と同じであり、より詳細には、図４または図６で説明したのと同じ処理を行う。すなわち、バックグラウンドで実行中の何れかのアプリケーションをフォアグラウンドの実行に切り替える態様においては、図４に示したアプリケーション制御処理を行う。また、バックグラウンドで実行中の何れかのアプリケーションに対して、バックグラウンドのまま所定の処理を実行させる態様においては、図６に示したアプリケーション制御処理を行う。
【００９８】
ステップＳ５８においてアプリケーション制御処理を行った後、制御部１５は、タッチセンサ１１に対する押圧に基づくデータが第１の基準を下回ったか否かを判定する（ステップＳ５９）。すなわち、ステップＳ５９では、操作者がタッチセンサ１１に対する押圧の力を弱めたか否かを判定する。
【００９９】
ステップＳ５９においてタッチセンサ１１に対する押圧に基づくデータが第１の基準を下回った場合、制御部１５は、触感呈示部１３を所定の駆動信号で駆動して、予め設定した所定の振動パターンでタッチセンサ１１を振動させて第２の触感を呈示する（ステップＳ６０）。ここで呈示する触感は、アプリケーション制御処理が適切に実行されたことを操作者に知らせるためのものである。この第２の触感は、第１実施の形態と同様に、ステップＳ５５において呈示される第１の触感と同じものとすることもできる。あるいは、第１の触感はボタンを押下する触感とした場合には、第２の触感は、第１の触感とは異ならせて、ボタンから指などを離す際の触感としてもよい。
【０１００】
一方、ステップＳ５６においてタッチセンサ１１に対する押圧に基づくデータが第２の基準を満たしていないと判定される場合、制御部１５は、タッチセンサ１１に対する押圧に基づくデータが第１の基準を下回ったか否かを判定する（ステップＳ６１）。すなわち、ステップＳ６１では、操作者がタッチセンサ１１に対する押圧の力を弱めたか否かを判定する。
【０１０１】
ステップＳ６１においてタッチセンサ１１に対する押圧に基づくデータが第１の基準を下回っていない場合、制御部１５は、ステップＳ５６に戻って処理を続行する。また、ステップＳ６１においてタッチセンサ１１に対する押圧に基づくデータが第１の基準を下回った場合、制御部１５は、押圧操作を検出していた位置のオブジェクトに対応する処理を行う（ステップＳ６２）。ステップＳ６２にて行うオブジェクトに対応する処理は、図３にて説明したステップＳ１５の処理と同じである。すなわち、この際の処理は、その時にフォアグラウンドで実行されているアプリケーションによって規定されている。ステップＳ６２においてオブジェクトに対応する処理が行われたら、制御部１５は、ステップＳ６０に移行して、以降、操作者の押圧操作が解除された場合の処理を行う。
【０１０２】
なお、ステップＳ５４においてタッチセンサ１１に対する押圧に基づくデータが第２の基準を満たしていると判定された場合、制御部１５は、ステップＳ５７にて触感を呈示した後、ステップＳ５８のアプリケーション制御処理を実行する。すなわち、本実施の形態においても、電子機器１は、タッチセンサ１１の任意の位置にて第２の基準を満たす押圧に基づくデータによる押圧操作を受け付けることにより、アプリケーション制御処理を実行することができる。したがって、操作者は、バックグラウンドで実行中のアプリケーションに対する制御を行いたくなった場合、タッチセンサ１１の任意の位置を、第２の基準を満たす押圧に基づくデータが検出されるように操作するだけでよい。
【０１０３】
このように、本実施の形態によれば、バックグラウンドで実行中のアプリケーションに対する制御としては、上述した第１ないし第２実施の形態と同様の効果を得ることができ、さらに、タッチセンサ１１に何かが軽く接触してしまうような操作は、実質的な操作とはみなさない。したがって、本実施の形態に係る電子機器１は、操作者による操作ミスを低減させることができる。
【０１０４】
（第４実施の形態）
上述した第１ないし第３実施の形態にて使用した電子機器１は、全てマルチタクスで処理を行うことを想定して説明した。しかしながら、本発明は、マルチタスクの電子機器のみならず、シングルタスクの電子機器に適用することもできる。第４実施の形態に係る電子機器は、第１実施の形態にて説明した電子機器１と同じ構成の、シングルタスクの電子機器により実施することができるため、第１実施の形態と同じ内容になる説明は、適宜省略する。
【０１０５】
本実施の形態は、図３または図８で説明したフローチャートに従って処理を行い、図３のステップＳ１７または図８のステップＳ５８において、図９に示すアプリケーション制御処理を実行するものである。上述したように、シングルタスクの電子機器は、複数のアプリケーションを同時に実行することができない。したがって、シングルタスクの電子機器の場合、特定のアプリケーションを実行中に、当該アプリケーションと連携する（切り替えて実行する）可能性の高いアプリケーションを予め規定しておき、ステップＳ１７またはステップＳ５８の処理の際には、その規定されたアプリケーションを実行させる。また、制御部１５が所定の基準を満たす押圧に基づくデータを検出する際に、当該押圧に基づくデータを段階別に検出して、これらの所定の段階の基準のそれぞれに、対応するアプリケーションも予め規定しておいてもよい。
【０１０６】
図９は、シングルタスクの電子機器が図３または図８で説明したフローチャートに従って処理を行う際の、図３のステップＳ１７または図８のステップＳ５８において行うアプリケーション制御処理を説明するフローチャートである。本実施の形態によるアプリケーション制御処理が開始すると、制御部１５は、まず、実行中のアプリケーションの他に、このアプリケーションと切り替えて実行するように規定されたアプリケーションがあるか否かを判定する（ステップＳ７１）。
【０１０７】
ステップＳ７１において切り替えるべきアプリケーションが存在しない場合、制御部１５は、「切り替えるアプリケーションが存在しない」旨の表示を表示部１４に表示する等して、操作者にその旨を知らせる（ステップＳ７２）。また、この際に、制御部１５は、触感呈示部１３を駆動して、上述したボタンを押下した触感とは異なる触感を呈示するなどして、切り替えるアプリケーションが存在しない旨を操作者に知らせるようにしてもよい。このように、ステップＳ７２において、切り替えるアプリケーションが存在しない旨を操作者に通知した後、制御部１５は、本実施の形態によるアプリケーション制御処理を終了する。
【０１０８】
一方、ステップＳ７１において切り替えるべきアプリケーションが存在する場合、制御部１５は、現在実行中のアプリケーションを一旦終了させる（ステップＳ７３）。次に、制御部１５は、切り替えて実行すべく規定されたアプリケーションを起動してから（ステップＳ７４）、本実施の形態によるアプリケーション制御処理を終了する。
【０１０９】
このように、本実施の形態によれば、シングルタスクの電子機器を用いてアプリケーションを実行している際に、簡単かつ素早く他のアプリケーションへの切り替えを行うことができる。
【０１１０】
なお、本発明は、上記実施の形態にのみ限定されるものではなく、幾多の変形または変更が可能である。例えば、上述した第１ないし第３実施の形態においては、マルチタスクの電子機器において、バックグラウンドで実行中のアプリケーションを制御することについて説明した。しかしながら、本発明は、アプリケーションの実行がフォアグラウンドかバックグラウンドかという区別によるものではなく、アプリケーションの実行がアクティブか非アクティブかという区別によって、アプリケーションの切り替えを行うようにすることもできる。
【０１１１】
すなわち、例えば、上述した第１実施の形態において、制御部１５は、所定の基準を満たす押圧に基づくデータを検出すると、アクティブでないアプリケーションの何れかをアクティブにするように制御するようにもできる。また、この場合、制御部１５は、所定の基準を満たす押圧に基づくデータを検出するたびに、アクティブでないアプリケーションの何れかを、所定の順序に従って順次アクティブにするように制御するようにもできる。さらに、上述の場合、制御部１５は、所定の段階の基準を満たす押圧に基づくデータを検出すると、アクティブでないアプリケーションのうち前記所定の段階の基準に対応するものをアクティブにするように制御するようにもできる。
【０１１２】
さらに、本発明は、アプリケーションの実行がフォアグラウンドかバックグラウンドかという区別によるものではなく、アプリケーションの実行がアクティブか非アクティブかという区別によって、アクティブでないアプリケーションの制御を行うようにすることもできる。すなわち、例えば、上述した第２実施の形態において、制御部１５は、所定の基準を満たす押圧に基づくデータを検出すると、アクティブでないアプリケーションの何れかが所定の処理を実行するように制御するようにもできる。また、この場合、制御部１５は、所定の段階の基準を満たす押圧に基づくデータを検出すると、アクティブでないアプリケーションのうち前記所定の段階の基準に対応するものが所定の処理を実行するように制御するようにもできる。
【０１１３】
また、上述した各実施の形態における押圧検出部は、任意の個数の歪みゲージセンサを用いて構成することができる。さらに、このような押圧検出部は、タッチパネルにおける接触検出方式に応じて各種の構成を想定することができる。例えば、抵抗膜方式の場合には、接触面積の大きさに応じた抵抗の大きさを、タッチパネルのタッチ面に対する押圧の荷重（力）に対応付けることにより、歪みゲージセンサや圧電素子等を用いることなく構成することができる。あるいは、静電容量方式の場合には、静電容量の大きさを、タッチパネルのタッチ面に対する押圧の荷重（力）に対応付けることにより、歪みゲージセンサや圧電素子等を用いることなく構成することができる。
【０１１４】
また、触感呈示部は、任意の個数の圧電振動子を用いて構成したり、タッチセンサの全面に透明圧電素子を設けて構成したり、触感を呈示する振動を表現できるのであれば、偏心モータを駆動信号の１周期で１回転させるようして構成したり、することもできる。さらに、押圧検出部および触感呈示部は、圧電素子を用いて構成する場合は、圧電素子を共用して押圧検出部兼触感呈示部を構成することもできる。
【０１１５】
また、本発明に係る電子機器は、タッチセンサ１１に対する押圧に基づくデータが、触感を呈示する基準を満たした際に、触感呈示部を駆動させる。しかしながら、上記タッチセンサ１１に対する押圧に基づくデータが触感を呈示する基準を満たした際とは、タッチセンサ１１に対する押圧に基づくデータが触感を呈示する基準値に達した際であってもよいし、タッチセンサ１１に対する押圧に基づくデータが触感を呈示する基準値を超えた際でもよい。また、上記タッチセンサ１１に対する押圧に基づくデータが触感を呈示する基準を満たした際とは、押圧検出部により触感を呈示する基準値が検出された際でもよい。
【０１１６】
なお、本発明においては、触感を呈示する代わりに、または触感の呈示とともに、音によって操作者に報知するようにもできる。
【符号の説明】
【０１１７】
１１  タッチセンサ
１１ａ  タッチ面
１２  押圧検出部
１３  触感呈示部
１４  表示部
１５  制御部
２１  筐体
２２  インシュレータ
２３  アッパカバー
２４  インシュレータ
３１  歪みゲージセンサ
３２  圧電振動子
５０  イヤホン
【図１】
2012114760.tif 000003
【図２】
2012114760.tif 000004
【図３】
2012114760.tif 000005
【図４】
2012114760.tif 000006
【図５】
2012114760.tif 000007
【図６】
2012114760.tif 000008
【図７】
2012114760.tif 000009
【図８】
2012114760.tif 000010
【図９】
2012114760.tif 000011
【図１０】
2012114760.tif 000012
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
タッチセンサと、
前記タッチセンサに対する押圧を検出する押圧検出部と、
所定の基準を満たす押圧に基づくデータを検出すると、バックグラウンドで実行中のアプリケーションソフトウェアの何れかを、フォアグラウンドで実行中のものと切り替えるように制御する制御部と、を備え、
前記制御部は、所定の基準を満たす押圧に基づくデータを検出するたびに、バックグラウンドで実行中のアプリケーションソフトウェアの何れかを、所定の順序に従って、フォアグラウンドで実行中のものと順次切り替えるように制御する電子機器。
【請求項２】
タッチセンサと、
前記タッチセンサに対する押圧を検出する押圧検出部と、
所定の基準を満たす押圧に基づくデータを検出すると、バックグラウンドで実行中のアプリケーションソフトウェアの何れかを、フォアグラウンドで実行中のものと切り替えるように制御する制御部と、を備え、
前記制御部は、所定の段階の基準を満たす押圧に基づくデータを検出すると、バックグラウンドで実行中のアプリケーションソフトウェアのうち前記所定の段階の基準に対応するものを、フォアグラウンドで実行中のものと切り替えるように制御する電子機器。
【請求項３】
タッチセンサと、
前記タッチセンサに対する荷重に基づく押圧を検出する押圧検出部と、
所定の基準を満たす前記押圧に基づくデータを検出すると、バックグラウンドで実行中のアプリケーションソフトウェアの何れかが所定の処理を実行するように制御する制御部と、
を備える電子機器。
【請求項４】
前記制御部は、所定の段階の基準を満たす前記押圧に基づくデータを検出すると、バックグラウンドで実行中のアプリケーションソフトウェアのうち前記所定の段階の基準に対応するものが所定の処理を実行するように制御する、請求項３に記載の電子機器。
【請求項５】
タッチセンサと、
前記タッチセンサに対する荷重に基づく押圧を検出する押圧検出部と、
所定の基準を満たす前記押圧に基づくデータを検出すると、アクティブでないアプリケーションソフトウェアの何れかをアクティブにするように制御する制御部と、
を備える電子機器。
【請求項６】
タッチセンサと、
前記タッチセンサに対する押圧を検出する押圧検出部と、
所定の基準を満たす押圧に基づくデータを検出すると、アクティブでないアプリケーションソフトウェアの何れかをアクティブにするように制御する制御部と、を備え、
前記制御部は、所定の基準を満たす押圧に基づくデータを検出するたびに、アクティブでないアプリケーションソフトウェアの何れかを、所定の順序に従って順次アクティブにするように制御する電子機器。
【請求項７】
前記制御部は、所定の段階の基準を満たす前記押圧に基づくデータを検出すると、アクティブでないアプリケーションソフトウェアのうち前記所定の段階の基準に対応するものをアクティブにするように制御する、請求項５に記載の電子機器。
【請求項８】
タッチセンサと、
前記タッチセンサに対する荷重に基づく押圧を検出する押圧検出部と、
所定の基準を満たす前記押圧に基づくデータを検出すると、アクティブでないアプリケーションソフトウェアの何れかが所定の処理を実行するように制御する制御部と、
を備える電子機器。
【請求項９】
前記制御部は、所定の段階の基準を満たす前記押圧に基づくデータを検出すると、アクティブでないアプリケーションソフトウェアのうち前記所定の段階の基準に対応するものが所定の処理を実行するように制御する、請求項８に記載の電子機器。
【手続補正２】
【補正対象書類名】明細書
【補正対象項目名】００１９
【補正方法】変更
【補正の内容】
【００１９】
上記目的を達成する第１の観点に係る電子機器の発明は、
タッチセンサと、
前記タッチセンサに対する押圧を検出する押圧検出部と、
所定の基準を満たす押圧に基づくデータを検出すると、バックグラウンドで実行中のアプリケーションソフトウェアの何れかを、フォアグラウンドで実行中のものと切り替えるように制御する制御部と、を備え、
前記制御部は、所定の基準を満たす押圧に基づくデータを検出するたびに、バックグラウンドで実行中のアプリケーションソフトウェアの何れかを、所定の順序に従って、フォアグラウンドで実行中のものと順次切り替えるように制御するものである。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】変更
【補正の内容】
【００２１】
第２の観点に係る電子機器の発明は、
タッチセンサと、
前記タッチセンサに対する押圧を検出する押圧検出部と、
所定の基準を満たす押圧に基づくデータを検出すると、バックグラウンドで実行中のアプリケーションソフトウェアの何れかを、フォアグラウンドで実行中のものと切り替えるように制御する制御部と、を備え、
前記制御部は、所定の段階の基準を満たす押圧に基づくデータを検出すると、バックグラウンドで実行中のアプリケーションソフトウェアのうち前記所定の段階の基準に対応するものを、フォアグラウンドで実行中のものと切り替えるように制御するものである。
【手続補正５】
【補正対象書類名】明細書
【補正対象項目名】００２２
【補正方法】変更
【補正の内容】
【００２２】
第３の観点に係る電子機器の発明は、
タッチセンサと、
前記タッチセンサに対する荷重に基づく押圧を検出する押圧検出部と、
所定の基準を満たす前記押圧に基づくデータを検出すると、バックグラウンドで実行中のアプリケーションソフトウェアの何れかが所定の処理を実行するように制御する制御部と、
を備えるものである。
【手続補正６】
【補正対象書類名】明細書
【補正対象項目名】００２３
【補正方法】変更
【補正の内容】
【００２３】
第４の観点に係る発明は、第３の観点に係る電子機器において
前記制御部は、所定の段階の基準を満たす前記押圧に基づくデータを検出すると、バックグラウンドで実行中のアプリケーションソフトウェアのうち前記所定の段階の基準に対応するものが所定の処理を実行するように制御するものである。
【手続補正７】
【補正対象書類名】明細書
【補正対象項目名】００２４
【補正方法】変更
【補正の内容】
【００２４】
また、上記目的を達成する第５の観点に係る電子機器の発明は、
タッチセンサと、
前記タッチセンサに対する荷重に基づく押圧を検出する押圧検出部と、
所定の基準を満たす前記押圧に基づくデータを検出すると、アクティブでないアプリケーションソフトウェアの何れかをアクティブにするように制御する制御部と、
を備えるものである。
【手続補正８】
【補正対象書類名】明細書
【補正対象項目名】００２５
【補正方法】変更
【補正の内容】
【００２５】
第６の観点に係る電子機器の発明は、
タッチセンサと、
前記タッチセンサに対する押圧を検出する押圧検出部と、
所定の基準を満たす押圧に基づくデータを検出すると、アクティブでないアプリケーションソフトウェアの何れかをアクティブにするように制御する制御部と、を備え、
前記制御部は、所定の基準を満たす押圧に基づくデータを検出するたびに、アクティブでないアプリケーションソフトウェアの何れかを、所定の順序に従って順次アクティブにするように制御するものである。
【手続補正９】
【補正対象書類名】明細書
【補正対象項目名】００２６
【補正方法】変更
【補正の内容】
【００２６】
第７の観点に係る発明は、第５の観点に係る電子機器において
前記制御部は、所定の段階の基準を満たす前記押圧に基づくデータを検出すると、アクティブでないアプリケーションソフトウェアのうち前記所定の段階の基準に対応するものをアクティブにするように制御するものである。
【手続補正１０】
【補正対象書類名】明細書
【補正対象項目名】００２７
【補正方法】変更
【補正の内容】
【００２７】
第８の観点に係る電子機器の発明は、
タッチセンサと、
前記タッチセンサに対する荷重に基づく押圧を検出する押圧検出部と、
所定の基準を満たす前記押圧に基づくデータを検出すると、アクティブでないアプリケーションソフトウェアの何れかが所定の処理を実行するように制御する制御部と、
を備えるものである。
【手続補正１１】
【補正対象書類名】明細書
【補正対象項目名】００２８
【補正方法】変更
【補正の内容】
【００２８】
第９の観点に係る発明は、第８の観点に係る電子機器において
前記制御部は、所定の段階の基準を満たす前記押圧に基づくデータを検出すると、アクティブでないアプリケーションソフトウェアのうち前記所定の段階の基準に対応するものが所定の処理を実行するように制御するものである。
【国際調査報告】
2012114760.tif 000013
2012114760.tif 000014
2012114760.tif 000015
2012114760.tif 000016
2012114760.tif 000017